(57)【特許請求の範囲】
【請求項１】
着用者の身体前側と身体後側とに延びる前後方向と、前記前後方向に直交する幅方向と、前記着用者に向かう内方向と、前記内方向と反対側に向かう外方向と、を有し、
前記着用者の股間部に当てられる股下領域と、前記股下領域の前方に配置される前胴回り領域と、前記股下領域の後方に配置される後胴回り領域と、を備える吸収性物品であって、
少なくとも前記股下領域に配置される吸収体を有しており、
前記股下領域には、前記吸収体よりも幅方向外側の領域において後方に向かうにつれて前記幅方向外側に向かう傾斜部を有し、前記着用者の脚回りに沿って配置される脚回り開口部が形成されており、
前記股下領域には、前記傾斜部に沿って配置された弾性材を有しておらず、
前記股下領域には、前記吸収体が前記外方向に凸に曲がることができるように構成された一対のサイド曲部が前記前後方向に沿って形成されており、
平面視において、前記後胴回り領域の幅方向端部と前記サイド曲部の幅方向中心との幅方向の中間点を通り、かつ前記前後方向に沿った中間ラインと、前記脚回り開口部と、が交わる第１交点は、前記傾斜部上に位置しており、
平面視において、前記第１交点における前記脚回り開口部の接線と、前記サイド曲部の幅方向中心を通り、かつ前記前後方向に延びるサイド曲部ラインと、が交わる第２交点は、前記サイド曲部よりも後方に位置し、
前記吸収体の少なくとも前記幅方向端部に沿って配置されるシート部材を更に備え、
平面視において、前記シート部材の幅方向端部と前記傾斜部とは、第３交点において交わっており、
平面視において、前記第３交点における前記傾斜部の接線と、前記サイド曲部ラインと、が交わる第４交点は、前記サイド曲部よりも前後方向外側に位置することを特徴とする、吸収性物品。
【請求項２】
前記サイド曲部よりも前後方向外側には、前記サイド曲部による前記吸収体の変形が後方に伝わることを抑制できるように変形抑制部が形成されている、請求項１に記載の吸収性物品。
【請求項３】
前記変形抑制部は、前記サイド曲部ライン上の少なくとも前記第２交点と重なるように配置されている、請求項２に記載の吸収性物品。
【請求項４】
前記変形抑制部は、前記吸収体の側部が前記幅方向に内側に括れた括れ部、前記吸収体に形成されたスリット、前記吸収体において周囲の目付よりも低い目付である低目付領域、前記吸収体を厚み方向において圧搾した圧搾部、前記幅方向において伸縮する幅伸縮部材、及び前記吸収体の剛性差のうち少なくともいずれかによって構成される、請求項３に記載の吸収性物品。
【請求項５】
前記変形抑制部は、前記サイド曲部よりも前記幅方向内側から前記サイド曲部よりも前記幅方向外側まで配置され、前記前後方向外側に向かうにつれて前記幅方向外側に向かって延びている、請求項３又は請求項４に記載の吸収性物品。
【請求項６】
前記サイド曲部の前記前後方向の中心は、前記吸収体の前記前後方向の中心よりも前方に配置されており、
前記変形抑制部は、前記股下領域内に配置され、前記股下領域の変形が前記後胴回り領域に伝わることを抑制するように形成されている、請求項３から請求項５のいずれかに記載の吸収性物品。
【請求項７】
前記股下領域の前記幅方向中心には、前記吸収体が前記内方向に凸に曲がることができるように構成された中央曲部が形成されており、
前記サイド曲部は、前記中央曲部よりも前記幅方向外側に設けられている、請求項１から請求項６のいずれかに記載の吸収性物品。
【発明の詳細な説明】
【技術分野】
【０００１】
本発明は、吸収体を曲げることができる曲部を有する吸収性物品に関する。
【背景技術】
【０００２】
吸収性物品は、着用者の装着感向上や排泄物の漏れ防止を図るため、様々な工夫がなされている。例えば、特許文献１には、着用者の排泄物を吸収する吸収体に前後方向に沿った溝部を形成し、吸収体を着用者側に曲げることができるように構成した使い捨ておむつとしての吸収性物品が開示されている。
【０００３】
この使い捨ておむつは、吸収体に形成された３本の溝部が着用時に曲がるように構成されている。中央の溝部周辺部分は、着用者の排泄口に向けて凸状となり、中央の溝部より中も幅方向外側に位置する中間の溝部周辺部分は、中央の溝部周辺部分と逆側に凸状、すなわち排泄口に対して凹状となる。
【０００４】
すなわち、吸収体には、幅方向に沿って凸状部分と凹状部分とが交互に隣接して形成される。このように構成された使い捨ておむつは、吸収体が着用時に溝部を基点にして曲がるため、吸収体がフラットな状態の使い捨ておむつと比較して、着用者の股下域に当接する吸収体の面積が大きくなり、吸収性能が高くなる。
【先行技術文献】
【特許文献】
【０００５】
【特許文献１】特許４０９２３１９号公報（図２及び図３等）
【発明の概要】
【発明が解決しようとする課題】
【０００６】
しかしながら、上述した使い捨ておむつにおいては、以下の問題があった。
【０００７】
吸収体に形成される溝部は、着用者の股間に当てられる股下領域のみならず、股下領域よりも後方や前方に位置する後胴回り領域や前側領域にも形成されている。
【０００８】
例えば、股下領域よりも後方の後胴回り領域は、着用者の臀部に接するように配置される。この後胴回り領域に凹状部分や凸状部分が形成されていると、吸収体が前後方向において曲線状に変形し難くなり、臀部の丸みに沿って吸収体が配置されないことがある。よって、身体に沿って吸収体が配置されず、フィット性が低下するおそれがある。
【０００９】
本発明に係る使い捨ておむつは、着用者の身体前側と身体後側とに延びる前後方向（前後方向Ｌ）と、前記前後方向に直交する幅方向（幅方向Ｗ）と、着用者に向かう内方向(内方向ＩＮ)と、前記内方向と反対側に向かう外方向（外方向ＯＵＴ）とを有し、前記着用者の股間部に当てられる股下領域（股下領域Ｓ３）と、前記股下領域の前方に配置される前胴回り領域（前胴回り領域Ｓ１）と、前記股下領域の後方に配置される後胴回り領域（後胴回り領域Ｓ２）と、を備える吸収性物品であって、少なくとも前記股下領域に配置される吸収体（吸収体４０）を有しており、前記股下領域には、前記吸収体よりも幅方向外側の領域において後方に向かうにつれて前記幅方向外側に向かう傾斜部（傾斜部９Ｃ）を有し、かつ前記着用者の脚回りに沿って配置される脚回り開口部（脚回り開口部９）が形成されており、前記股下領域には、前記傾斜部に沿って配置された弾性材を有しておらず、前記股下領域には、前記吸収体が前記外方向に凸に曲がることができるように構成された一対のサイド曲部が前記前後方向に沿って形成されており、平面視において、前記後胴回り領域の幅方向端部と前記サイド曲部の幅方向中心との幅方向の中間点を通り、かつ前記前後方向に沿った中間ラインと、前記脚回り開口部と、が交わる第１交点は、前記傾斜部上に位置しており、平面視において、前記第１交点における前記脚回り開口部の接線と、前記サイド曲部の幅方向中心を通り、かつ前記前後方向に延びるサイド曲部ラインと、が交わる第２交点は、前記サイド曲部よりも後方に位置し、前記吸収体の少なくとも前記幅方向端部に沿って配置されるシート部材を更に備え、平面視において、前記シート部材の幅方向端部と前記傾斜部とは、第３交点において交わっており、平面視において、前記第３交点における前記傾斜部の接線と、前記サイド曲部ラインと、が交わる第４交点は、前記サイド曲部よりも前後方向外側に位置することを要旨とする。
【課題を解決するための手段】
【００１０】
本発明に係る使い捨ておむつは、着用者の身体前側と身体後側とに延びる前後方向（前後方向Ｌ）と、前記前後方向に直交する幅方向（幅方向Ｗ）と、着用者に向かう内方向(内方向ＩＮ)と、前記内方向と反対側に向かう外方向（外方向ＯＵＴ）とを有し、前記着用者の股間部に当てられる股下領域（股下領域Ｓ３）と、前記股下領域の前方に配置される前胴回り領域（前胴回り領域Ｓ１）と、前記股下領域の後方に配置される後胴回り領域（後胴回り領域Ｓ２）と、を備える吸収性物品であって、少なくとも前記股下領域に配置される吸収体（吸収体４０）を有しており、前記股下領域には、前記吸収体よりも幅方向外側の領域において後方に向かうにつれて前記幅方向外側に向かう傾斜部（傾斜部９Ｃ）を有し、かつ前記着用者の脚回りに沿って配置される脚回り開口部（脚回り開口部９）が形成されており、前記股下領域には、前記吸収体が前記外方向に凸に曲がることができるように構成された一対のサイド曲部が前記前後方向に沿って形成されており、平面視において、前記後胴回り領域の幅方向端部と前記サイド曲部の幅方向中心との幅方向の中間点を通り、かつ前記前後方向に沿った中間ラインと、前記脚回り開口部と、が交わる第１交点は、前記傾斜部上に位置しており、平面視において、前記第１交点における前記脚回り開口部の接線と、前記サイド曲部の幅方向中心を通り、かつ前記前後方向に延びるサイド曲部ラインと、が交わる第２交点は、前記サイド曲部よりも後方に位置することを要旨とする。
【発明の効果】
【００１１】
本開示に係る特徴によれば、着用者の股間部に配置される吸収体の面積を増やして吸収性能を向上させ、かつ着用者の身体に沿って吸収体を配置して、フィット性を高めることができる吸収性物品を提供することができる。
【図面の簡単な説明】
【００１２】
【図１】実施の形態に係る使い捨ておむつの概略斜視図である。
【図２】実施の形態に係る使い捨ておむつの展開平面図である。
【図３】図２に示すＸ１-Ｘ’１線に沿った使い捨ておむつの幅方向断面図である。
【図４】図２に示すＸ２-Ｘ’２線に沿った使い捨ておむつの前後方向断面図である。
【図５】図２に示す展開平面図における脚回り開口部の部分拡大図である。
【図６】実施の形態に係る使い捨ておむつの着用状態を模式的に示す背面斜視図である。
【図７】実施の形態に係る吸収体の平面図である。
【図８】実施の形態に係る吸収体の分解斜視図である。
【図９】実施の形態に係る使い捨ておむつの着用状態を模式的に示すＸ１-Ｘ’１線に沿った断面図である。
【図１０】変形例１に係る使い捨ておむつの展開平面図である。
【図１１】変形例２に係る使い捨ておむつの展開平面図である。
【図１２】図１１に示すＸ３-Ｘ’３線に沿った使い捨ておむつの前後方向断面図である。
【発明を実施するための形態】
【００１３】
次に、実施の形態に係る吸収性物品としての使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれ得る。
【００１４】
本実施形態に係る使い捨ておむつは、吸収体が着用者から離れる外方向に凸に曲がることができるように構成された一対のサイド曲部が形成され、サイド曲部よりも後方の領域を脚回り開口部によって引き上げ、サイド曲部による変形を抑制するように構成されていることを特徴とする。
【００１５】
（１）使い捨ておむつの全体概略構成
図１は、本実施形態において使い捨ておむつを構成する使い捨ておむつ１の概略斜視図である。図２は、本実施形態に係る使い捨ておむつ１の展開平面図である。図３は、図２に示すＸ１−Ｘ’１線に沿った使い捨ておむつ１の幅方向断面図である。図４は、図２に示すＸ２−Ｘ’２線に沿った使い捨ておむつ１の前後方向断面図である。使い捨ておむつ１は、パンツ型の使い捨ておむつである。
【００１６】
使い捨ておむつ１は、着用者の身体前側と身体後側とに延びる前後方向Ｌと、前後方向Ｌに直交する幅方向Ｗと、着用者に向かう内方向ＩＮ及び内方向と反対側に向かう外方向ＯＵＴを有する厚み方向Ｔと、を有する。
【００１７】
使い捨ておむつ１は、図２に示すように、吸収性物品１の前後方向Ｌにおいて、着用者の前胴回りに当てられる前胴回り領域Ｓ１と、着用者の後胴回りに当てられる後胴回り領域Ｓ２と、着用者の股下に当てられ、前胴回り領域Ｓ１と後胴回り領域Ｓ２との間に位置する股下領域Ｓ３と、を有する。股下領域Ｓ３は、着用者の股間部で脚を閉じたときに最も幅が狭くなる中央股下領域Ｓ３２と、中央股下領域Ｓ３２と前胴回り領域Ｓ１の間に位置する前股下領域Ｓ３１と、中央股下領域Ｓ３２と後胴回り領域Ｓ２の間に位置する後股下領域Ｓ３３と、を有する。
【００１８】
前胴回り領域Ｓ１の吸収性物品１の一方の幅方向外側に位置する前胴回り縁部４が、後胴回り領域Ｓ２の一方の幅方向外側に位置する後胴回り縁部６と接合され、かつ他方の幅方向外側に位置する前胴回り縁部４’が、他方の幅方向外側に位置する後胴回り縁部６’と接合されることによって、使い捨ておむつ１がパンツ型に形成される。パンツ型の使い捨ておむつの前胴回り領域及び後胴回り領域には、互いの縁部が接合された接合部１１が形成されており、股下領域Ｓ３は、接合部１１よりも前後方向内側の領域である。
【００１９】
使い捨ておむつ１には、図１に示すように、パンツ型に形成された状態で、着用者の腰回りを囲んで配置される腰回り開口部８と、着用者の脚回りを囲んで配置される一対の脚回り開口部９と、が形成される。脚回り開口部９の構成については、後述にて詳細に説明する。
【００２０】
使い捨ておむつ１は、表面シート１０、吸収体４０及び吸収体裏面シート３０等を含む吸収性本体１Ａと、前側外装トップシート７０Ｆ、後側外装トップシート７０Ｒ及び外装バックシート８０等を含む外装体１Ｂと、から構成されており、これらは互いに、接着剤や熱融着などによって接合されている。
【００２１】
外装体１Ｂは、前側外装トップシート７０Ｆ、後側外装トップシート７０Ｒ、外装バックシート８０を含み、使い捨ておむつ１の外装部分を構成する。前側外装トップシート７０Ｆは、前胴回り領域Ｓ１と前股下領域Ｓ３１とに跨がって配置されている。後側外装トップシート７０Ｒは、後胴回り領域Ｓ２と後股下領域Ｓ３３とに跨がって配置されている。前側外装トップシート７０Ｆと後側外装トップシート７０Ｒとは、前後方向に離間して配置されており、厚み方向において外装バックシート８０と、吸収性本体１Ａとの間に配置される。
【００２２】
前側外装トップシート７０Ｆ及び後側外装トップシート７０Ｒは、エアスルー不織布、スパンボンド不織布、ＳＭＳ不織布、防水フィルムなどによって形成できる。本実施形態に係る前側外装トップシート７０Ｆ及び後側外装トップシート７０Ｒは、ポリプロピレンからなる目付１５g/m2のSMS不織布によって形成されている。
【００２３】
外装バックシート８０は、着用時において外側に位置する、つまり、着用者の肌から離れる側に配置される。外装バックシート８０は、前胴回り領域Ｓ１から後胴回り領域Ｓ２に亘って配置されている。外装バックシート８０の前後方向端部は、肌当接面側に折り返され、前側外装トップシート７０Ｆ（又は後側外装トップシート７０Ｒ）の前後方向の外側端部を包むように配置される。
【００２４】
外装バックシート８０は、エアスルー不織布、スパンボンド不織布、ＳＭＳ不織布、防水フィルムなどによって形成できる。本実施形態に係る外装バックシート８０は、ポリプロピレンからなる目付１７g/m2のスパンボンド不織布によって形成されている。
【００２５】
吸収性本体１Ａは、表面シート１０、セカンドシート１５、吸収体裏面シート及び防漏部を含み、外装体１Ｂよりも着用者側に配置される。
【００２６】
表面シート１０は、着用者の肌に直接的に接し得る肌当接面を形成するシートである。表面シート１０は、吸収体４０よりも肌当接面側に配置される。表面シート１０は、親水性不織布や織物、開口プラスチックフィルム、開口疎水性不織布などの液透過性のシートによって形成されている。本実施の形態に係る表面シート１０は、ポリプロピレンからなる目付２３ｇ/ｍ２の親水性ポイントボンド不織布によって形成されている。
【００２７】
表面シート１０の非肌当接面側には、セカンドシート１５が接合されている。セカンドシート１５は、表面シート１０と吸収体４０との間に配置される。セカンドシート１５を設けることにより、体液の吸収速度を速くすることができ、かつ吸収後における体液の逆戻りを抑制することができる。
【００２８】
本実施の形態に係る表面シート１０とセカンドシート１５は、接着剤によって接合されている。セカンドシート１５は、例えば、エアスルー不織布や、開口フィルムなどが用いられる。本実施の形態のセカンドシート１５は、エアスルー不織布３０ｇ／ｍ２(親水性)によって形成されている。
【００２９】
吸収体４０は、表面シート１０とセカンドシート１５とが接合された複合シートと、吸収体裏面シート３０との間において、複合シートと吸収体裏面シートにホットメルト型接着剤によって接合される。ホットメルト型接着剤は、複合シート及び裏面シートにそれぞれ塗工され、例えば、スパイラル塗工方法により、それぞれ目付5g/m2，8g/m2で塗られる。
【００３０】
吸収体４０の後側端部４０Ｒは、股下領域Ｓ３内に配置されており、吸収体４０の前側端部は４０Ｆ、前胴回り領域Ｓ１内に配置されている。吸収体の前側端部及び後側端部の両方が前胴回り領域及び後胴回り領域内に配置される形態と比較して、吸収体の前後方向の長さが短いため、吸収体のパルプの目付けを保ちつつ、パルプの重量を低減できる。パルプの目付けを保ちながらパルプ重量を低減することにより、体液の吸収スピードを損なわずに材料費を低減することができる。
【００３１】
なお、吸収体は、少なくとも一部が股下領域に配置されていればよく、本実施の形態の構成に限定されない。例えば、吸収体４０の前側端部４０Ｆが前胴回り領域内に配置され、かつ吸収体４０の後側端部４０Ｒが後胴回り領域内に配置されていてもよいし、吸収体４０の前側端部４０Ｆが股下領域内に配置され、かつ吸収体４０の後側端部４０Ｒが後胴回り領域内に配置されていてもよいし、吸収体４０の前側端部４０Ｆが股下領域内に配置され、かつ吸収体４０の後側端部４０Ｒが股下領域内に配置されていてもよい。
【００３２】
吸収体４０は、粉砕パルプや高吸収性ポリマーなどの混合粉体で形成される。吸収体４０は、着用者の非肌当接面側に位置する第１吸収層４１と、第１吸収層４１と重ねられ、かつ着用者の肌当接面側に位置する第２吸収層４２と、によって構成されている（図７参照）。
【００３３】
第１吸収層４１には、中央曲部を構成する中央スリットと、サイド曲部を構成するサイドスリットと、が形成されている。中央スリットは、第１吸収層の幅方向中央に形成され、サイドスリットは、中央スリットよりも幅方向の両外側に形成されている。吸収体４０に形成された中央スリットやサイドスリット等によって、使い捨ておむつ１が着用された際に吸収体４０が曲がるように構成されている。なお、吸収体の構造については、後述にて詳細に説明する。
【００３４】
吸収体裏面シート３０は、吸収体４０の非肌当接面側に設けられている。吸収体裏面シート３０は、液不透過性フィルムなど（例えば、ポリエチレン）のシートによって形成されている。吸収体裏面シート３０は、吸収体よりも外方向ＯＵＴに配置され、かつ液不透過性であり、液不透過性シートとして機能する。吸収体裏面シート３０は、吸収体４０よりも前後方向外側に延出して配置されている。
【００３５】
吸収体裏面シート３０の後側端部３０Ｒは、吸収体４０の後側端部４０Ｒよりも後方であって、股下領域内に配置されている。また、吸収体裏面シート３０の前側端部３０Ｆは、吸収体４０の前側端部４０Ｆよりも前方であって、前胴回り領域Ｓ１内に配置されている。
【００３６】
なお、吸収体裏面シート３０は、少なくとも吸収体４０の非肌当接面側に配置されていればよく、前後方向の位置は、本実施の形態の構成に限定されない。例えば、吸収体裏面シート３０の前側端部３０Ｆが前胴回り領域内に配置され、かつ吸収体裏面シート３０の後側端部３０Ｒが後胴回り領域内に配置されていてもよいし、吸収体裏面シート３０の前側端部３０Ｆが股下領域内に配置され、かつ吸収体裏面シート３０の後側端部３０Ｒが後胴回り領域内に配置されていてもよいし、吸収体裏面シート３０の前側端部３０Ｆが股下領域内に配置され、かつ吸収体裏面シート３０の後側端部３０Ｒが股下領域内に配置されていてもよい。
【００３７】
防漏部は、防漏サイドシート３２と、防漏弾性材３３と、を有し、吸収体４０の幅方向端部において前後方向に沿って配置されている。防漏サイドシート３２は、吸収体４０の幅方向Ｗの両側端において、表面シート１０、吸収体裏面シート３０を一体に包むように設けられる。防漏サイドシート３２は、液不透過性の不織布などのシートによって形成されている。防漏サイドシート３２の幅方向の一方の端部は、吸収体裏面シート３０の非肌面側の面に接合されており、防漏サイドシート３２の幅方向の他方の端部は、吸収体４０の幅方向側部から表面シート側に折り返され、表面シート１０の肌当接面側の面に接合されている。
【００３８】
防漏サイドシート３２は、ホットメルト接着剤によって表面シート等に接合されている。本実施形態では、ビード塗工によって目付０．１g/mでホットメルト型接着剤を複数本塗布した。また、防漏サイドシート３２は、疎水性の不織布シートを用いることができ、本実施形態では、ポリプロピレンの目付15g/m2のSMS不織布を用いた。
【００３９】
防漏弾性材３３は、吸収体裏面シート３０と防漏サイドシート３２と間に、伸長状態で貼りあわされている。防漏弾性材の固定手段としては、ホットメルト型接着剤を例示できる。本実施の形態は、防漏弾性材３３としてスパンデックスを用い、Ｖスロット方式により直接塗工している。より、具体的には、防漏弾性材３３は、７８０ｄｔｅｘの太さ、２．３倍の伸長倍率で３本伸長固定される。
【００４０】
前胴回り領域Ｓ１及び後胴回り領域Ｓ２には、ウエストギャザー３が設けられる。ウエストギャザー３は、吸収体４０の幅方向Ｗに沿って伸縮するように配設される合成ゴムなどの細長いウエスト弾性材３Ａを有する。ウエストギャザー３は、前胴回り領域Ｓ１における吸収性物品１の幅方向Ｗ外側に位置する一方の前胴回り縁部４から他方の前胴回り縁部４‘まで連続し、後胴回り領域Ｓ２における吸収性物品１の幅方向Ｗ外側に位置する一方の後胴回り縁部６から他方の前胴回り縁部６‘まで連続する。
【００４１】
ウエスト弾性材３Ａは、前側外装トップシート７０Ｆ又は後側外装トップシート７０Ｒと、外装バックシートに、伸長された状態で接着剤（例えばホットメルト型接着剤）によって固定されている。本実施形態では、Vスロット方式でホットメルト型接着剤が塗工されている。
【００４２】
ウエスト弾性材３Ａは、スパンデックスによって構成されている。ウエスト弾性材３Ａは、腰回り開口部８近傍において、９４０ｄｔｅｘの太さ、３．５倍の伸長倍率でそれぞれ６本伸長固定され、かつ当該弾性材よりも前後方向内側において、７８０ｄｔｅｘの太さ、３．０倍の伸長倍率で前後それぞれ８本伸長固定される。なお、ウエスト弾性材３Ａの太さ、伸長倍率及び本数は、上記に限られず、種々設定することができる。
【００４３】
このように構成された吸収性物品の製造方法としては、例えば、吸収体の第１吸収層を成形する工程と、吸収体の第２吸収層を成形する工程と、第１吸収層と第２吸収層とを合体させる工程と、ベルトコンベア等で吸収体等を搬送し、搬送する過程で表面シート等のシート材と接合する工程と、を含む方法によって吸収性物品を製造することができる。なお、その他の工程は、公知の製造方法に従って製造し得る。
【００４４】
また、第１吸収層と第２吸収層の両方に、中央スリットやサイドスリットを設けた場合、第１吸収層と第２吸収層とを重ね合わせるときの位置ずれが生じることがある。例えば、幅方向に位置ずれが生じると、左右に配置された一対のサイドスリットの幅が狭くなり、規則的な変形ができなくなったり、左右アンバランスな吸収体となり、吸収性や装着感に悪影響を及ぼしたりするおそれがある。しかし、第１吸収層と第２吸収層のうちいずれか一方に、中央スリットやサイドスリットを設けることにより、サイドスリット等の位置ずれを防止できる。
【００４５】
なお、上述した使い捨ておむつ１を構成する各部材は、例えば、特開２００６−３４６４３９号公報に記載された材料を用いてもよい。
【００４６】
（２）脚回り開口部の形状
図５は、図２に示す展開平面図における脚回り開口部の部分拡大図である。脚回り開口部９は、吸収体４０よりも幅方向外側の領域において後方に向かうにつれて幅方向外側に向かう傾斜部９Ｃを有する。傾斜部９Ｃは、平面視にて曲線形状であり、外装体１Ｂの縁部によって構成されている。
【００４７】
外装体１Ｂは、平面視において吸収体と重なる領域において、吸収性本体１Ａよりも幅方向内側に凹んで配置されている。当該領域においては、吸収体本体１Ａの幅方向外側端部が直線状の脚回り開口部９を形成している。すなわち、脚回り開口部９は、股下領域における外装体１Ｂの幅方向外側端部から幅方向内側に向かう縁部である傾斜部９Ｃと、吸収性本体１Ａの幅方向外側の縁部であって前後方向に沿った平行部９Ｓと、によって構成されている。
【００４８】
図６は、実施の形態に係る使い捨ておむつの着用状態を模式的に示す背面斜視図である。脚回り開口部９は、着用者の脚回りに密着する。幅方向において脚回り開口部９の間には、吸収体４０が配置されている。着用者が使い捨ておむつ１を着用した状態では、一対の脚回り開口部９がそれぞれ着用者の脚回りに沿って配置され、その間の吸収体４０が、脚回り開口部によって幅方向外側に引っ張られ、着用者の股間に対向した状態が維持される。
【００４９】
特に、幅方向において後胴回り領域の幅方向端部とサイドスリットの中心との中間点（例えば、第１交点Ｐ１）は、臀部側の脚回りにおいて最も着用者の身体が膨らむ部分であり、当該部分の脚回り開口部のラインに沿って吸収体が引き上げられる。  
【００５０】
平面視において、後胴回り領域の幅方向端部１Ｗとサイドスリット４６の幅方向中心４６Ｃとの幅方向の中間点を通り、かつ前後方向に沿った中間ラインＣＬと、脚回り開口部９とが交わる第１交点Ｐ１は、傾斜部９Ｃ上に位置している。更に、平面視において、第１交点Ｐ１における脚回り開口部９の接線Ｔ１と、サイドスリットの幅方向中心４６Ｃを通り、かつ前後方向に延びるサイド曲部ラインＬ２と、が交わる第２交点Ｐ２は、サイドスリット４６よりも後方に位置するように構成されている。
【００５１】
第１交点の脚回り開口部の接線Ｔ１とサイド曲部ラインＬ２とが交わる第２交点は、サイドスリットよりも後方に配置されているため、サイドスリット４６よりも後方の領域が、脚回り開口部９によって引き上げられる。
【００５２】
脚回り開口部９によって引き上げられることにより、サイドスリットによる凸状の変形が第２交点Ｐ２よりも後方に伝わり難くなる。したがって、第２交点Ｐ２よりも前方は、サイドスリット４６によって凸状に変形し、第２交点Ｐ２よりも後方は、サイドスリット４６による変形が後方に伝達することを抑制し、フラットな状態を維持することができる。よって、第２交点よりも後方の領域を、臀部の丸みに沿って配置でき、フィット性を高めることができる。
【００５３】
また、平面視において、脚回り開口部９を構成する外装体１Ｂと、吸収性本体１Ａの防漏サイドシート３２と、は、第３交点Ｐ３において交わっている。防漏サイドシート３２は、吸収体の幅方向端部に沿って配置されるシート部材として機能する。第３交点Ｐ３は、前側の脚回り開口部９上における前第３交点と、後側の脚回り開口部上における後第３交点とを有する。平面視において、各第３交点における脚回り開口部９の接線Ｔ２と、サイド曲部ラインＬ２と、が交わる第４交点Ｐ４は、サイドスリット４６よりも前後方向外側に位置する。第４交点Ｐ４は、前側のサイド曲部ライン上における前第４交点と、後側のサイド曲部ライン上における後第４交点とを有する。
【００５４】
第３交点Ｐ３は、脚回り開口部９における外装体１Ｂと吸収性本体１Ａとの交点であり、脚回り開口部９の引き上げ力が吸収体４０を有する吸収性本体に直接作用する点である。この第３交点Ｐ３の脚回り開口部９の接線Ｔ２と、サイド曲部ラインＬ２と、が交わる第４交点Ｐ４は、サイドスリット４６よりも前後方向外側に配置されているため、サイドスリットよりも前側と後側の領域が、脚回り開口部によって引き上げられる。
【００５５】
具体的には、後第４交点よりも前方は、サイドスリットによって凸状に変形し、後第４交点よりも後方は、サイドスリットによる変形が抑制され、フラットな状態が維持され易い。よって、後第４交点よりも後方の領域を、臀部の丸みに沿って配置でき、フィット性を高めることができる。また、前第４交点よりも後方は、サイドスリットによって凸状に変形し、前第４交点よりも前方は、サイドスリットによる変形が抑制され、フラットな状態が維持され易い。よって、前第４交点よりも前方の領域を、腹部の丸みに沿って配置でき、フィット性を高めることができる。
【００５６】
また、脚回り開口部によってサイドスリット４６よりも前後方向外側の領域を引き上げることにより、吸収体４０を着用者側に引き上げ、吸収体を着用者の股間部に近づけることができる。本実施の形態のように、脚回り開口部９に沿うレッグギャザーを備えない形態においても、脚回り開口部によって吸収体を引き上げ、材料費を抑えながら吸収性能の向上を図ることができる。
【００５７】
更に、第１交点Ｐ１における脚回り開口部９の接線Ｔ１と、吸収性本体１Ａとが交わる第４交点Ｐ４は、サイドスリット４６の後側端部４６Ｒと前側端部４６Ｆのうち少なくともいずれか一方とほぼ重なるように設けることが望ましい。このような構成によれば、サイドスリット４６による股下領域の変形が更に後胴回り領域側や前胴回り領域側に伝わり難くなる。
【００５８】
なお、本実施形態における「ほぼ重なる」とは、第４交点Ｐ４と、サイドスリット４６の前側端部４６Ｆ又は後側端部４６Ｒとの距離が50mm以内の状態である。本実施の形態においては、後第４交点とサイドスリットの後側端部４６Ｒとの距離は、９ｍｍである。
【００５９】
なお、脚回り開口部９は、平面視において曲線形状であってもよいし、平面視において直線形状であってもよいし、曲線形状と直線形状との組み合わせによって構成されていてもよい。例えば、外装体１Ｂの縁部が直線状であってもよいし、吸収性本体の縁部が曲線状であってもよい。
【００６０】
（３）吸収体の構造
図７は、吸収体４０の平面図であり、図８は、吸収体４０の斜視図である。図７及び図８に示すように、吸収体４０は、第１吸収層４１と、第１吸収層４１よりも肌当接面側に配置される第２吸収層４２とを有する。第１吸収層４１は、着用者の非肌当接面側に位置し、第２吸収層４２は、着用者の肌当接面側に位置する。
【００６１】
吸収体４０は、股下領域Ｓ３と前胴回り領域Ｓ１とに跨がって配置されている。第１吸収層４１の前後方向の長さは、第２吸収層４２の前後方向の長さよりも長い。第１吸収層４１は、股下領域Ｓ３と前胴回り領域Ｓ１とに跨って配置され、第２吸収層４２は、股下領域Ｓ３内に配置されている。第１吸収層４１の幅方向の長さは、第２吸収層４２の幅方向の長さよりも長い。第１吸収層４１は、第２吸収層４２よりも幅方向外側に張り出している。
【００６２】
第１吸収層４１及び第２吸収層４２は、綿状パルプと高分子吸収性ポリマー（ＳＡＰ）とから構成されている。吸収体４０は、例えば、パルプ１００〜５００ｇ／ｍ２とＳＡＰ０〜５００ｇ／ｍ２とを混合させて形成することができる。本実施の形態に係る第１吸収層４１及び第２吸収層４２は、パルプ２６０ｇ／ｍ２とＳＡＰ１６０ｇ／ｍ２とを混合させて形成されている。
【００６３】
第１吸収層４１には、中央スリット４５と、一対のサイドスリット４６とが形成されている。中央スリット４５は、前後方向Ｌに沿って延在する縦長の形状を有し、中央股下領域Ｓ３２、前股下領域Ｓ３１及び後股下領域Ｓ３３に跨って形成されている。このように中央スリット４５を形成することにより、吸収体の幅方向中央部分を着用者側である内方向ＩＮに凸に曲がり易くすることができる。また、吸収体の前後方向への体液等の拡散性を高め、広い範囲において体液等を拡散させて、吸収性能を向上させることができる。
【００６４】
一対のサイドスリット４６は、中央スリット４５よりも幅方向外側にそれぞれ形成されている。サイドスリット４６は、前後方向Ｌに沿って延在する縦長の形状を有し、中央股下領域Ｓ３２に形成されている。サイドスリット４６は、外方向ＯＵＴに凸、つまり吸収体４０が中央スリット４５と逆の凸に曲がるように、前後方向Ｌに沿って吸収体４０に形成されている。
【００６５】
次いで、吸収体の変形態様について説明する。図９は、使い捨ておむつ１の着用状態を模式的に示す断面図（図２のＸ１−Ｘ’１線基準）である。図９に示すように、使い捨ておむつ１が着用されると、吸収体の股下領域Ｓ３は、着用者の股間に当てられる。着用者の脚等によって、吸収体には、幅方向外側から幅方向内側に向かって力が掛かる。幅方向外側から幅方向内側に向かって吸収体４０に力が掛かると、中央スリット４５とサイドスリット４６とを基点として吸収体４０が内方向と外方向とに変形する。使い捨ておむつ１の幅方向Ｗに沿った断面形状は、波状に変形し、吸収体４０の股下領域Ｓ３の中央股下領域Ｓ３２は、規則的に折り畳まれた状態となる。  
【００６６】
このように、吸収体が折り畳まれることにより、吸収性能を確保するために吸収体の面積を大きくした場合であっても、股下領域Ｓ３の吸収体４０を適切に折り畳み、吸収体４０と排泄口とを密着させることができる。例えば、本実施の形態のように、吸収体の後側端部が股下領域内に配置され、吸収体の前後方向の長さが比較的短い形態であっても、吸収性能を高め、体液の漏れを抑制できる。
【００６７】
吸収体４０は、中央スリット４５によって内方向ＩＮに凸となった吸収体４０の頂面が着用者の股間部に当接する。中央スリット４５による凸状部分が形成される部分は、第２吸収層４２のみによって構成されており、比較的厚みが薄い。一方、中央スリットによる凸状部分とサイドスリットによる凸状部分との間は、第１吸収層４１と第２吸収層４２とが重なっており、比較的厚みが厚く、剛性が高い。中央スリットとサイドスリットとの間の剛性が高い部分によって中央スリットによる凸状部分を支持し、着用者側に向かう凸形状の安定性を向上させることができる。
【００６８】
また、着用者が両脚を閉じると、使い捨ておむつ１の断面形状は、吸収体の中央スリット及びサイドスリットを基点に折り畳まれ、互いに密着した状態で、股間部の下方においてコンパクトに配置される。よって、股間部近傍の違和感を抑制しつつ、吸収性能を確保することができる。
【００６９】
このとき、中央スリット４５によって形成される内方向への凸状部分は、着用者の股間部と当接するように位置する。一方、サイドスリット４６によって形成される外方向への凸状部分は、非肌当接面側に凸状であり、着用者の排泄口と当接し難い位置となる。
【００７０】
着用者の股間部において吸収体が密着しているので、肌伝いするような尿速の遅い尿が排出された場合であっても、体液の漏れを防止できる。また、折り畳まれた状態で、吸収体の肌から離れた部分の曲部においては、前後方向に延びる凹みが形成されるため、体液を前後方向外側へ拡散させることができ、横漏れを防止することができる。更に、サイド曲部は、凹部を形成するため、当該凹部に排泄物が入り込み易く、着用者の肌と排泄物が直接接触することを抑制できる。
【００７１】
中央曲部によって形成される凸状部分は、厚みが薄くかつ高さが高い。よて、使い捨ておむつ１を着用して吸収体４０が変形したときの断面形状は、非肌当接面側から肌当接面側に向かって狭くなる先細り形状である。股間部の狭い隙間に挿入され易くなり、排泄口と密着し易くなる。排尿口と吸収体とが密着するため、排泄された尿を迅速に吸収することができる。さらに、吸収体が着用者の股間部の隙間に収まり易く、違和感を与えにくい。また、着用者の股間部の肌に近い部分においては、吸収体の厚みが薄く、肌から遠い部分で厚みが厚くなるように折り畳まれるため、違和感なくフィットさせることができる。
【００７２】
次いで、第１吸収層４１と第２吸収層４２の詳細な構成について説明する。第１吸収層４１は、前股下領域Ｓ３１から中央股下領域Ｓ３２に向かって幅方向の長さが短くなり、かつ後股下領域Ｓ３３から中央股下領域Ｓ３２に向かって幅方向の長さが短くなっている。第１吸収層４１には、前股下領域Ｓ３１から中央股下領域Ｓ３２に向かって幅方向内側に凹んだ凹み部４１Ｎが形成されている。凹み部４１Ｎは、サイドスリット４６よりも前方に位置しており、変形抑制部として機能する。
【００７３】
サイドスリット４６よりも前方に凹み部４１Ｎが形成されているため、サイドスリット４６による変形を前胴回り領域Ｓ１に伝達し難くすることができる。よって、凹み部４１Ｎよりも前方において、吸収体４０が凸状に変形することを抑制し、吸収体４０を着用者の肌に沿わせて配置することができる。
【００７４】
第２吸収層４２は、略略砂時計型の形状である。第２吸収層は、前後方向における中央部分に位置し、かつ幅方向Ｗにおいて所定の幅を有する幅狭部４２Ｎと、幅狭部４２Ｎの前側に位置し、幅狭部よりも幅が長い前幅広部４２ＦＬと、幅狭部４２Ｎの後側に位置し、幅狭部よりも幅が長い後幅広部４２ＲＬと、を有している。幅狭部４２Ｎの側端、前幅広部４２ＦＬの側端、及び後幅広部４２ＲＬの側端は、曲線で結ばれており、第２吸収層４２は砂時計型の平面形状を有する。
【００７５】
第１吸収層４１と第２吸収層４２とは、厚さ方向Ｔに沿って押圧されることによって一体化している。なお、第１吸収層４１と第２吸収層４２とは、接着剤や熱融着などによって一体化されていてもよい。また、吸収体４０は、第１吸収層４１が非肌当接面側に位置し、第２吸収層４２が肌当接面側に位置しているが、第２吸収層４２が非肌当接面側に位置し、第１吸収層４１が肌当接面側に位置してもよい。
【００７６】
幅方向において、幅狭部４２Ｎの外側端部と、サイドスリット４６の内側端部とは一致している。このような構成によれば、サイドスリット４６の幅方向端部に吸収体４０の剛性差が形成され、サイドスリット４６を基点に安定的に吸収体を屈曲させることができる。
【００７７】
更に、図２に示すように、幅方向において、セカンドシート１５の端部は、サイドスリットよりも内側に位置している。セカンドシート１５が配置された領域と、セカンドシート１５が配置されていない領域（セカンドシート１５の幅方向の端部よりも幅方向外側の領域）は、剛性が異なる。セカンドシートの有無による剛性差を設けることにより、サイドスリット４６によって構成されるサイド曲部を基点に曲がり易くなる。
【００７８】
また、後幅広部４２ＲＬの幅方向端部は、サイドスリットよりも後方において、サイドスリットの幅方向内側から幅方向外側に向かって延出している。この後幅広部の幅方向端部は、変形抑制部４２Ｐとして機能している。
【００７９】
変形抑制部４２Ｐは、サイドスリットよりも後方に配置されている。変形抑制部４２Ｐは、第２吸収層４２の幅狭部４２Ｎから後方に向かうにつれて幅方向内側から幅方向外側に向かって延びるように配置されている。変形抑制部４２Ｐよりも前方の領域は、第１吸収層４１のみが配置されているが、変形抑制部４２Ｐよりも後方の領域は、第１吸収層４１と第２吸収層が重なっており、変形抑制部で吸収体の剛性差が生じる。よって、変形抑制部４２Ｐよりも前方における変形が、後方に伝達し難くなる。
【００８０】
サイドスリットの前方と後方に、変形抑制部を設けることにより、股下領域に吸収体を変形させた状態で配置する一方、その変形を後胴回り領域及び前胴回り領域に伝わることを抑制できる。更に、吸収体の前胴回り領域Ｓ１及び後胴回り領域Ｓ２が変形した場合であっても、その変形が股下領域に伝達し難くなるため、股下領域Ｓ３において吸収体４０を安定的に凸状に折り曲げることができる。
【００８１】
特に、サイドスリット４６の後方に変形抑制部を設けることにより、脚回り開口部による引き上げ力と変形抑制部とによって、サイドスリットによる変形が後方に伝わることを抑制できる。
【００８２】
変形抑制部は、サイドスリットよりも後方の領域に配置されていればよいが、より好適には、サイド曲部ライン上の少なくとも第２交点Ｐ２と重なるように配置されていることが望ましい。変形抑制部と第２交点Ｐ２とが重なるように構成することにより、脚回り開口部９による引き上げ力と変形抑制部との相乗効果によって、サイドスリットの変形を更に後方に伝わり難くできる。
【００８３】
また、図５に示すように、変形抑制部４２Ｐの接線Ｔ３と、サイド曲部ラインＬ２との第５交点Ｐ５は、サイドスリット４６よりも後Ｐ５よりも後方に伝わり難くし、第５交点Ｐ５よりも後方の領域をフラットな状態に維持し易くなる。
【００８４】
更に、変形抑制部４２Ｐの接線Ｔ３と、第１交点Ｐ１における脚回り開口部９の接線Ｔ１とは、略平行であることが望ましい。この構成によれば、脚回り開口部９による引き上げ機能と、変形抑制部による変形を抑制する機能との相乗効果を高めることができる。
【００８５】
なお、本実施形態における「ほぼ平行」とは、変形抑制部４２Ｐの接線と、第１交点における脚回り開口部の接線とがなす角度が、10度以内の状態である。本実施の形態においては、変形抑制部４２Ｐの接線と第１交点における脚回り開口部の接線との角度の差は、２度である。
【００８６】
サイド曲部を構成するサイドスリットの前後方向の中心は、吸収体の前後方向の中心よりも前方に配置されており、変形抑制部４２Ｐは、股下領域内に配置されている。このように、サイドスリット４６及び変形抑制部４２Ｐを配置することにより、股下領域を変形させつつ、後胴回り領域を変形させないようにして、後胴回り領域を着用者の身体に沿って配置することができる。
【００８７】
変形抑制部は、サイドスリットよりも幅方向内側から幅方向外側まで、サイド曲部の後方を跨がって配置されている。このような構成によれは、サイド曲部の後方においてサイド曲部による変形を抑制することができる。
【００８８】
なお、変形抑制部は、種々の構成を採用することができる。具体的には、変形抑制部は、吸収体の側部が幅方向に内側に括れた括れ部、吸収体に形成されたスリット、吸収体において周囲の目付よりも低い目付である低目付領域、吸収体を厚み方向において圧搾した圧搾部、幅方向において伸縮する幅伸縮部材、及び吸収体の剛性差のうち少なくともいずれかによって構成することができる。
【００８９】
（４）変形例
次に、変形例１及び変形例２に係る使い捨ておむつについて、図面を参照しながら説明する。なお、上述した実施形態に係る使い捨ておむつ１と同一部分には同一の符号を付して、相違する部分を主として説明する。  
【００９０】
図１０は、変形例１に係る使い捨ておむつの平面図である。変形例１に係る使い捨ておむつは、吸収体４０が１層のみで構成されている。吸収体４０は、略長方形の平面形状である。吸収体には、中央スリット４５とサイドスリット４６とが形成されている。  
【００９１】
中間ラインＬ１と脚回り開口部９とが交わる第１交点Ｐ１における脚回り開口部９の接線Ｔ１とサイド曲部ラインＬ２とは、第２交点Ｐ２において交わっている。第２交点Ｐ２は、サイドスリット４６よりも後方に位置する。また、サイドスリット４６よりも後方には、変形抑制部としての後圧搾部４３Ｒが形成されている。更に、サイドスリットの前方にも、変形抑制部としての前圧搾部４３Ｆが形成されている。前圧搾部４３Ｆ及び後圧搾部４３Ｒは、エンボス加工によって形成されている。  
【００９２】
また、外装体１Ｂの縁部の傾斜部９Ｃと、吸収性本体１Ａの平行部９Ｓと、は、第３交点Ｐ３において交わっている。第３交点Ｐ３の傾斜部９Ｃの接線Ｔ２は、前圧搾部及び後圧搾部と重なるように配置されている。このように、前圧搾部及び後圧搾部が設けられているため、サイドスリット４６による変形が前圧搾部及び後圧搾部を超えて前後方向外側に伝わることを効果的に抑制できる。
【００９３】
図１１は、変形例２に係る使い捨ておむつの平面図である。図１２は、図１１に示すＸ３-Ｘ’３線に沿った使い捨ておむつの前後方向断面図である。変形例２に係る外装バックシートは、前側外装トップシート７０Ｆに接合される前側外装バックシート８０Ｆと、後側外装トップシート７０Ｒに接合される後側外装バックシート８０Ｒと、を有する。外装バックシートを前後方向に離間して配置することにより、外装バックシートを構成するシート材の面積を少なくすることができ、コストを低減することができる。
【００９４】
吸収体裏面シート３０の非肌当接側には、不織布シート３５が設けられている。前側外装トップシート７０Ｆ及び後側外装トップシート７０Ｒは、不織布シート３５の非肌当接側に設けられている。不織布シート３５が設けられていることにより、外装トップシート及び外装バックシートが前後方向に離間する形態において、吸収性本体１Ａの吸収体裏面シート３０がむき出しになることを防止することができる。
【００９５】
前側外装トップシート７０Ｆ及び前側外装バックシート８０Ｆは、吸収体４０の前側端部４０Ｆ近傍において、吸収性本体１Ａを構成する不織布シート３５に接合されている。後側外装トップシート７０Ｒ及び後側外装バックシート８０Ｒは、吸収体４０の後側端部４０Ｒ近傍において、不織布シート３５に接合されている。
【００９６】
吸収体４０は、第１吸収層４１と第２吸収層４２とを有している。前後方向において、第１吸収層４１と第２吸収層４２とは、同じ長さであり、幅方向において、第１吸収層４１は、第２吸収層４２よりも幅方向外側に延出している。第１吸収層４１には、中央スリット及びサイドスリットが形成されている。
【００９７】
中間ラインＬ１と脚回り開口部９とは、第１交点Ｐ１において交わっている。第１交点Ｐ１における脚回り開口部９の接線Ｔ１と、サイド曲部ラインＬ２とは、第２交点Ｐ２において交わっている。第２交点Ｐ２は、サイドスリット４６よりも後方に位置する。
【００９８】
脚回り開口部９の周囲には、レッグギャザー５が設けられる。レッグギャザー５の少なくとも一部は、脚回り開口部９に沿って配置されている。レッグギャザー５は、前胴回り領域Ｓ１に配置される前脚回り弾性材５Ｆと、後胴回り領域Ｓ２と股下領域Ｓ３とに跨がって配置される後脚回り弾性材５Ｒと、によって形成されている。
【００９９】
後脚回り弾性材５Ｒは、後胴回り領域Ｓ２から股下領域Ｓ３にかけて配置されており、後胴回り領域Ｓ２から股下領域Ｓ３に向かうにつれて幅方向内側に向かうように配置されている。前脚回り弾性材５Ｆは、前胴回り領域Ｓ１において、幅方向に沿って配置されている。吸収体４０よりも幅方向外側の領域の前脚回り弾性材５Ｆ及び後脚回り弾性材５Ｒと、吸収体４０と重なる領域の前脚回り弾性材５Ｆ及び後脚回り弾性材５Ｒとが連動し、吸収体４０を着用者側に引き上げるように機能する。
【０１００】
前脚回り弾性材５Ｆは、前側外装トップシート７０Ｆと外装バックシート８０との間に配置され、後脚回り弾性材５Ｒは、後側外装トップシート７０Ｒと外装バックシート８０との間に配置されている。また、ウエスト弾性材３Ａは、前側外装トップシート７０Ｆ又は後側外装トップシート７０Ｒと、前側外装バックシート８０Ｆ又は後側外装バックシート８０Ｒとの間に接合されている。
【０１０１】
防漏弾性材３３は、レッグギャザーと平面視で略連なるように配置されている。このように防漏弾性材とレッグギャザーを配置することにより、着用者の足繰りを囲むように締め付けることができ、脚繰りのフィット性が向上し、使い捨ておむつのズレや漏れの防止する効果が得られる。
【０１０２】
（５）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【０１０３】
例えば、上述した実施形態では、パンツ型の使い捨ておむつとして説明したが、本発明は、これに限定されるものではなく、オープン型の使い捨ておむつ、失禁用パッド及び生理用ナプキンなどに適用してもよい。
【０１０４】
オープン型の使い捨ておむつにおいては、例えば、後胴回り領域には、ファスニングテープ等の係止部材が設けられ、前胴回り領域には、係止部材が引っかかるターゲット部が設けられている。
【０１０５】
脚回り開口部の形状において、第３交点における傾斜部の接線とサイド曲部ラインとが交わる第４交点は、サイド曲部よりも前後方向外側に位置することが望ましい。しかし、本発明に係る吸収性物品は、第３交点における傾斜部の接線とサイド曲部ラインとが交わる第４交点が、サイド曲部よりも前後方向内側に位置していてもよい。
【０１０６】
また、本発明に係る吸収性物品は、必ずしも変形抑制部が設けられていなくてもよい。変形抑制部を備える場合であっても、サイド曲部ライン上の第２交点とずれて配置されていてもよく、幅方向においてサイドスリットを跨がって配置されていなくてもよい。
【０１０７】
また、吸収性物品は、中央曲部及びサイド曲部を備えていてもよいが、少なくともサイド曲部を備えていればよく、中央曲部及びサイド曲部の両方を備えていなくてもよい。サイドスリットの前後方向の中心は、吸収体の前後方向の中心と一致していてもよいし、吸収体の前後方向の中心よりも後方に配置されていてもよい。サイド曲部は、変形制御部とつながり、前後方向内側から前後方向外側に向かって幅方向外側に向かうように湾曲した形であってもよい。
【０１０８】
更に、本実施の形態の中央曲部及びサイド曲部は、吸収体に形成されたスリットによって構成されているが、中央曲部及びサイド曲部の構成は、スリットに限られない。中央曲部及びサイド曲部は、前後方向に伸縮する弾性材によって構成されていてもよいし、吸収体を厚み方向に圧縮した圧搾部によって構成されていてもよいし、吸収体において周囲の目付よりも低く構成された低目付領域によって構成されていてもよい。更に、吸収体にスリットを形成し、かつスリットに重なるように前後方向に伸縮する弾性材を設け、スリットと弾性材とによって中央曲部及びサイド曲部を構成してもよい。
【０１０９】
本実施形態では、吸収体４０は、第１吸収層４１と第２吸収層４２との２吸収層構造であるが、本発明に係る着用物品の吸収体４０は、１吸収層のみによって構成されていてもよいし、３層以上で構成されていてもよい。
【０１１０】
このように、本発明は、ここでは記載していない様々な実施の形態などを含むことは勿論である。従って、本発明の技術的範囲は、上述の説明から妥当な特許請求の範囲に係る発明特定事項によってのみ定められるものである。
【符号の説明】
【０１１１】
１…使い捨ておむつ（使い捨ておむつ）
３…ウエストギャザー
３Ａ…ウエスト弾性材
４，４’…前胴回り側縁部
５…レッグギャザー
５Ｆ…前脚回り弾性材
５Ｒ…後脚回り弾性材
６，６’…後胴回り縁部
８…腰回り開口部
９…脚回り開口部
１０…表面シート
１５…セカンドシート
３０…吸収体裏面シート
３０Ｆ…前側端部
３０Ｒ…後側端部
３２…防漏サイドシート
３３…防漏弾性材
３５…不織布シート
４０…吸収体
４１…第１吸収層
４１Ｎ…凹み部
４２…第２吸収層
４２ＦＬ…前幅広部
４２Ｎ…幅狭部
４２ＲＬ…後幅広部
４５…中央スリット
４６…サイドスリット
７０Ｆ…前側外装トップシート
７０Ｒ…後側外装トップシート
８０…外装バックシート
８０Ｆ…前側外装バックシート
８０Ｒ…後側外装バックシート
Ｓ１…前胴回り領域
Ｓ２…後胴回り領域
Ｓ３…股下領域
Ｓ３１…前股下領域
Ｓ３２…中央股下領域
Ｓ３３…後股下領域
【図１】
0005919082.tif 000002
【図２】
0005919082.tif 000003
【図３】
0005919082.tif 000004
【図４】
0005919082.tif 000005
【図５】
0005919082.tif 000006
【図６】
0005919082.tif 000007
【図７】
0005919082.tif 000008
【図８】
0005919082.tif 000009
【図９】
0005919082.tif 000010
【図１０】
0005919082.tif 000011
【図１１】
0005919082.tif 000012
【図１２】
0005919082.tif 000013